(57)【要約】【課題】必ずディスクカートリッジがディスクカートリッジ取り出し可能位置で停止し、ディスクカートリッジ取り出し可能位置からのディスクカートリッジの取出しが容易であるディスクカートリッジの排出機構を提供することを課題とする。【解決手段】ディスクカートリッジがディスクカートリッジ取り出し可能位置へ移動した時点で、ディスクカートリッジがディスクカートリッジ取り出し可能位置より更に取り出し方向に移動するのを禁止するカートリッジストッパ６１と、その時点で、カートリッジストッパ６１のディスクカートリッジへの係止の解除を防止するカートリッジ係止補助手段７０と、ディスクカートリッジがディスクカートリッジ取り出し可能位置へ移動した後に、カートリッジ係止補助手段７０がカートリッジ係止手段６１のディスクカートリッジへの係止の解除を防止している状態を解除する補助解除手段とで構成する。【選択図】　　　図１１
2004079003.tif 000002
【特許請求の範囲】
【請求項１】
ディスクカートリッジ内のメディアに対して情報の記録／再生が可能なローディング位置から、前記ディスクカートリッジを情報記録再生装置から取り出し可能なディスクカートリッジ取り出し可能位置へ移動させるディスクカートリッジ排出機構において、
少なくとも前記ディスクカートリッジが前記ローディング位置から前記ディスクカートリッジ取り出し可能位置へ移動した時点で、前記ディスクカートリッジに係止して、前記ディスクカートリッジが前記ディスクカートリッジ取り出し可能位置より更に取り出し方向に移動するのを禁止するカートリッジ係止手段と、前記ディスクカートリッジが前記ローディング位置から前記ディスクカートリッジ取り出し可能位置へ移動した時点で、前記カートリッジ係止手段の前記ディスクカートリッジへの係止の解除を防止するカートリッジ係止補助手段と、
前記ディスクカートリッジが前記ローディング位置から前記ディスクカートリッジ取り出し可能位置へ移動した後に、前記カートリッジ係止補助手段が前記カートリッジ係止手段の前記ディスクカートリッジへの係止の解除を防止している状態を解除する補助解除手段と、
を有することを特徴とするディスクカートリッジ排出機構。
【請求項２】
ディスクカートリッジ内のメディアに対して情報の記録／再生が可能なローディング位置から、前記ディスクカートリッジを情報記録再生装置から取り出し可能なディスクカートリッジ取り出し可能位置へ移動させるディスクカートリッジ排出機構において、
前記ディスクカートリッジを排出方向に付勢する付勢手段と、
ローディング位置での前記ディスクカートリッジの移動を禁止するロック手段と、
前記ロック手段を解除するロック解除手段と、
少なくとも前記ディスクカートリッジが前記ローディング位置から前記ディスクカートリッジ取り出し可能位置へ移動した時点で、前記ディスクカートリッジに係止して、前記ディスクカートリッジが前記ディスクカートリッジ取り出し可能位置より更に取り出し方向に移動するのを禁止するカートリッジ係止手段と、
前記ディスクカートリッジが前記ローディング位置から前記ディスクカートリッジ取り出し可能位置へ移動した時点で、前記カートリッジ係止手段の前記ディスクカートリッジへの係止の解除を防止するカートリッジ係止補助手段と、
前記ディスクカートリッジが前記ローディング位置から前記ディスクカートリッジ取り出し可能位置へ移動した後に、前記カートリッジ係止補助手段が前記カートリッジ係止手段の前記ディスクカートリッジへの係止の解除を防止している状態を解除する補助解除手段と、
を有することを特徴とするディスクカートリッジ排出機構。
【請求項３】
前記カートリッジ係止手段は、前記ディスクカートリッジの凹部に係合可能な凸部を有する弾性アームを有し、
前記カートリッジ係止補助手段は、前記カートリッジ係止手段の弾性アームの凸部が設けられた面と反対側の面が当接可能なロックアームを有することを特徴とする請求項１又は２記載のディスクカートリッジ排出機構。
【請求項４】
前記カートリッジ係止補助手段は、
前記ロックアームが回転可能に設けられたプレートと、
前記ロックアームを前記弾性アーム方向に付勢するロックアーム付勢手段と、を有することを特徴とする請求項３記載のカートリッジ排出機構。
【請求項５】
前記カートリッジ係止補助手段のプレートは、
カートリッジ排出方向に移動可能に設けられ、
前記ロックアームに前記弾性アームが当接可能な位置と、前記ロックアームと前記弾性アームとの当接がない位置との間で前記プレートを案内するプレート案内手段とを有し、
前記ロック解除手段は、
イジェクトモータと、
該イジェクトモータにより回転駆動され、前記ロック手段と、前記カートリッジ係止補助手段とを解除する偏心ピンとを有し、
前記イジェクトモータを駆動すると、前記偏心ピンは、最初に、前記ロック手段を解除して、前記付勢手段の付勢力により前記ディスクカートリッジを前記ローディング位置から前記ディスクカートリッジ取り出し可能位置へ向かって移動させ、前記ディスクカートリッジが前記ディスクカートリッジ取り出し可能位置へ到達した後に、前記ロックアームと前記弾性アームとの当接がない位置へ前記カートリッジ係止補助手段の前記プレートを移動させるようにしたことを特徴とする請求項４記載のカートリッジ排出機構。
【請求項６】
ディスクカートリッジ内のメディアに対して情報の記録／再生が可能なローディング位置から、前記ディスクカートリッジを情報記録再生装置から取り出し可能なディスクカートリッジ取り出し可能位置へ移動させるディスクカートリッジ排出方法において、
少なくとも前記ディスクカートリッジが前記ローディング位置から前記ディスクカートリッジ取り出し可能位置へ移動した時点では、前記ディスクカートリッジがそれ以上移動しない第１の保持力で保持し、その後、前記第１の保持力よりも小さな第２の保持力で保持することを特徴とするディスクカートリッジ排出方法。
【発明の詳細な説明】
【０００１】
【発明の属する技術分野】
本発明は、ディスクカートリッジ内のメディアに対して情報の記録／再生が可能なローディング位置から、前記ディスクカートリッジを情報記録再生装置から取り出し可能なディスクカートリッジ取り出し可能位置へ移動させるディスクカートリッジ排出機構及びディスクカートリッジ排出方法に関する。
【０００２】
【従来の技術】
ＭＯ，ＰＤ，ＭＤ，ＤＶＤ，フレキシブルディスク，スーパーフレキシブルディスク等の記録媒体は、一般にディスクカートリッジ内に収容されている。又、裸のディスクをドライブ装置挿入前に所定のカートリッジに収容したうえで、ドライブ装置へ挿入するようになっている。そして、このようなディスクカートリッジを装置にセットし、ディスクカートリッジ内のメディアに対して情報の記録／再生が可能なローディング位置から、ディスクカートリッジを情報記録再生装置から取り出し可能なディスクカートリッジ取り出し可能位置へ移動させるにあたっては、ばね等の付勢手段の付勢力を用いたディスクカートリッジ排出機構がある。
【０００３】
このようなディスクカートリッジ排出機構においては、付勢力により排出方向に付勢されたディスクカートリッジが取り出し可能位置を超えてさらに排出方向に移動するのを禁止するカートリッジ係止手段が設けられている。
【０００４】
【発明が解決しようとする課題】
しかし、上記構成のディスクカートリッジ排出機構においては、ディスクカートリッジの厚さ、ディスクカートリッジの表面状態によっては、ディスクカートリッジの排出速度が速くなり、カートリッジ係止手段では係止できなくなる場合があり、ディスクカートリッジが装置外へ飛び出してしまう場合がある。
【０００５】
このディスクカートリッジの装置外への飛び出しは、カートリッジ係止手段の係止力を大きくすることで解消できるが、ディスクカートリッジ取り出し位置からのディスクカートリッジの取り出す力が大きくなり、容易に取り出せない問題点がある。
【０００６】
更に、ディスクカートリッジを付勢する付勢手段の付勢力を小さくすると、ディスクカートリッジの厚みが厚い場合や、開封直後のディスクカートリッジ表面に油分等が全く付着していない場合では、ディスクカートリッジがカートリッジ取り出し可能位置まで移動しない問題点がある。
【０００７】
本発明は、上記問題点に鑑みてなされたもので、その課題は、必ずディスクカートリッジがディスクカートリッジ取り出し可能位置で停止し、更に、ディスクカートリッジ取り出し可能位置からのディスクカートリッジの取出しが容易であるディスクカートリッジの排出機構及び方法を提供することにある。
【０００８】
【課題を解決するための手段】
上記課題を解決する請求項１記載の発明は、ディスクカートリッジ内のメディアに対して情報の記録／再生が可能なローディング位置から、前記ディスクカートリッジを情報記録再生装置から取り出し可能なディスクカートリッジ取り出し可能位置へ移動させるディスクカートリッジ排出機構において、少なくとも前記ディスクカートリッジが前記ローディング位置から前記ディスクカートリッジ取り出し可能位置へ移動した時点で、前記ディスクカートリッジに係止して、前記ディスクカートリッジが前記ディスクカートリッジ取り出し可能位置より更に取り出し方向に移動するのを禁止するカートリッジ係止手段と、前記ディスクカートリッジが前記ローディング位置から前記ディスクカートリッジ取り出し可能位置へ移動した時点で、前記カートリッジ係止手段の前記ディスクカートリッジへの係止の解除を防止するカートリッジ係止補助手段と、前記ディスクカートリッジが前記ローディング位置から前記ディスクカートリッジ取り出し可能位置へ移動した後に、前記カートリッジ係止補助手段が前記カートリッジ係止手段の前記ディスクカートリッジへの係止の解除を防止している状態を解除する補助解除手段と、を有することを特徴とするディスクカートリッジ排出機構である。
【０００９】
請求項２記載の発明は、ディスクカートリッジ内のメディアに対して情報の記録／再生が可能なローディング位置から、前記ディスクカートリッジを情報記録再生装置から取り出し可能なディスクカートリッジ取り出し可能位置へ移動させるディスクカートリッジ排出機構において、前記ディスクカートリッジを排出方向に付勢する付勢手段と、ローディング位置での前記ディスクカートリッジの移動を禁止するロック手段と、前記ロック手段を解除するロック解除手段と、少なくとも前記ディスクカートリッジが前記ローディング位置から前記ディスクカートリッジ取り出し可能位置へ移動した時点で、前記ディスクカートリッジに係止して、前記ディスクカートリッジが前記ディスクカートリッジ取り出し可能位置より更に取り出し方向に移動するのを禁止するカートリッジ係止手段と、前記ディスクカートリッジが前記ローディング位置から前記ディスクカートリッジ取り出し可能位置へ移動した時点で、前記カートリッジ係止手段の前記ディスクカートリッジへの係止の解除を防止するカートリッジ係止補助手段と、前記ディスクカートリッジが前記ローディング位置から前記ディスクカートリッジ取り出し可能位置へ移動した後に、前記カートリッジ係止補助手段が前記カートリッジ係止手段の前記ディスクカートリッジへの係止の解除を防止している状態を解除する補助解除手段とを有することを特徴とするディスクカートリッジ排出機構である。
【００１０】
請求項１及び請求項２記載の発明では、少なくとも前記ディスクカートリッジが前記ローディング位置から前記ディスクカートリッジ取り出し可能位置へ移動した時点で、前記ディスクカートリッジに係止して、前記ディスクカートリッジが前記ディスクカートリッジ取り出し可能位置より更に取り出し方向に移動するのを禁止するカートリッジ係止手段と、前記ディスクカートリッジが前記ローディング位置から前記ディスクカートリッジ取り出し可能位置へ移動した時点で、前記カートリッジ係止手段の前記ディスクカートリッジへの係止の解除を防止するカートリッジ係止補助手段と、前記ディスクカートリッジが前記ローディング位置から前記ディスクカートリッジ取り出し可能位置へ移動した後に、前記カートリッジ係止補助手段が前記カートリッジ係止手段の前記ディスクカートリッジへの係止の解除を防止している状態を解除する補助解除手段とを有することにより、前記ディスクカートリッジが前記ローディング位置から前記ディスクカートリッジ取り出し可能位置へ移動した時点で、カートリッジ係止手段が前記ディスクカートリッジに係止して、前記ディスクカートリッジが前記ディスクカートリッジ取り出し可能位置より更に取り出し方向に移動するのを禁止する。従って、必ずディスクカートリッジがディスクカートリッジ取り出し可能位置で停止する。
【００１１】
又、前記ディスクカートリッジが前記ローディング位置から前記ディスクカートリッジ取り出し可能位置へ移動した後に、補助解除手段が、前記カートリッジ係止補助手段が前記カートリッジ係止手段の前記ディスクカートリッジへの係止の解除を防止している状態を解除することにより、カートリッジ取り出し可能位置でのディスクカートリッジの係止は、ディスクカートリッジ係止手段のみとなり、ディスクカートリッジの取出しが容易となる。
【００１２】
請求項３記載の発明は、前記カートリッジ係止手段は、前記ディスクカートリッジの凹部に係合可能な凸部を有する弾性アームを有し、前記カートリッジ係止補助手段は、前記カートリッジ係止手段の弾性アームの凸部が設けられた面と反対側の面が当接可能なロックアームを有することを特徴とする請求項１又は２記載のディスクカートリッジ排出機構である。
【００１３】
ディスクカートリッジの排出速度が速くなり、ディスクカートリッジの凹部に係合する凸部を有するカートリッジ係止手段の弾性アームが前記ディスクカートリッジの凹部より離反しようとしても、カートリッジ係止補助手段の前記カートリッジ係止手段の弾性アームの凸部が設けられた面と反対側の面が当接可能なロックアームに当接し、前記カートリッジ係止手段の弾性アームの凸部が前記ディスクカートリッジの凹部から離反するのを禁止する。よって、従って、必ずディスクカートリッジがディスクカートリッジ取り出し可能位置で停止する。
【００１４】
請求項４記載の発明は、前記カートリッジ係止補助手段は、前記ロックアームが回転可能に設けられたプレートと、前記ロックアームを前記弾性アーム方向に付勢するロックアーム付勢手段とを有することを特徴とする請求項３記載のカートリッジ排出機構である。
【００１５】
何らかの原因で大きな力がカートリッジ係止手段の弾性アームに作用し、弾性アームが前記ディスクカートリッジの凹部より離反しようとした際に、前記カートリッジ係止補助手段は、前記ロックアームが回転可能に設けられたプレートと、前記ロックアームを前記弾性アーム方向に付勢するロックアーム付勢手段とを有することにより、付勢手段の付勢力以上の力で前記弾性アームが離反しようとした際には、ロックアームも弾性アームに押されて回転し、弾性アーム、ロックアームの破損を防止する。
【００１６】
請求項５記載の発明は、前記カートリッジ係止補助手段のプレートは、カートリッジ排出方向に移動可能に設けられ、前記ロックアームに前記弾性アームが当接可能な位置と、前記ロックアームと前記弾性アームとの当接がない位置との間で前記プレートを案内するプレート案内手段とを有し、前記ロック解除手段は、イジェクトモータと、該イジェクトモータにより回転駆動され、前記ロック手段と、前記カートリッジ係止補助手段とを解除する偏心ピンとを有し、前記イジェクトモータを駆動すると、前記偏心ピンは、最初に、前記ロック手段を解除して、前記付勢手段の付勢力により前記ディスクカートリッジを前記ローディング位置から前記ディスクカートリッジ取り出し可能位置へ向かって移動させ、前記ディスクカートリッジが前記ディスクカートリッジ取り出し可能位置へ到達した後に、前記ロックアームと前記弾性アームとの当接がない位置へ前記カートリッジ係止補助手段の前記プレートを移動させるようにしたことを特徴とする請求項４記載のカートリッジ排出機構である。
【００１７】
前記カートリッジ係止補助手段のプレートは、カートリッジ排出方向に移動可能に設けられ、前記ロックアームに前記弾性アームが当接可能な位置と、前記ロックアームと前記弾性アームとの当接がない位置との間で前記プレートを案内するプレート案内手段とを有し、前記ロック解除手段は、イジェクトモータと、該イジェクトモータにより回転駆動され、前記ロック手段と、前記カートリッジ係止補助手段とを解除する偏心ピンとを有し、前記イジェクトモータを駆動すると、前記偏心ピンは、最初に、前記ロック手段を解除して、前記付勢手段の付勢力により前記ディスクカートリッジを前記ローディング位置から前記ディスクカートリッジ取り出し可能位置へ向かって移動させ、前記ディスクカートリッジが前記ディスクカートリッジ取り出し可能位置へ到達した後に、前記ロックアームと前記弾性アームとの当接がない位置へ前記カートリッジ係止補助手段の前記プレートを移動させるようにしたことにより、必ずディスクカートリッジがディスクカートリッジ取り出し可能位置で停止する。
【００１８】
請求項６記載の発明は、ディスクカートリッジ内のメディアに対して情報の記録／再生が可能なローディング位置から、前記ディスクカートリッジを情報記録再生装置から取り出し可能なディスクカートリッジ取り出し可能位置へ移動させるディスクカートリッジ排出方法において、少なくとも前記ディスクカートリッジが前記ローディング位置から前記ディスクカートリッジ取り出し可能位置へ移動した時点では、前記ディスクカートリッジがそれ以上移動しない第１の保持力で保持し、その後、前記第１の保持力よりも小さな第２の保持力で保持することを特徴とするディスクカートリッジの排出方法である。
【００１９】
ディスクカートリッジ内のメディアに対して情報の記録／再生が可能なローディング位置から、前記ディスクカートリッジを情報記録再生装置から取り出し可能なディスクカートリッジ取り出し可能位置へ移動させるディスクカートリッジ排出方法において、少なくとも前記ディスクカートリッジが前記ローディング位置から前記ディスクカートリッジ取り出し可能位置へ移動した時点では、前記ディスクカートリッジがそれ以上移動しない第１の保持力で保持し、その後、前記第１の保持力よりも小さな第２の保持力で保持することにより、前記ディスクカートリッジが前記ローディング位置から前記ディスクカートリッジ取り出し可能位置へ移動した時点で、カートリッジ係止手段がディスクカートリッジに係止すると共に、カートリッジ係止補助手段が前記カートリッジ係止手段の前記ディスクカートリッジへの係止の解除を防止する。従って、必ずディスクカートリッジがディスクカートリッジ取り出し可能位置で停止する。
【００２０】
又、前記ディスクカートリッジが前記ローディング位置から前記ディスクカートリッジ取り出し可能位置へ移動した後に、解除手段が前記カートリッジ係止補助手段の前記カートリッジ係止手段への係止を解除することにより、カートリッジ取り出し可能位置でのディスクカートリッジの係止は、ディスクカートリッジ係止手段のみとなり、ディスクカートリッジの取出しが容易となる。
【００２１】
【発明の実施の形態】
次に図面を用いて本発明の実施の形態のディスクカートリッジ排出機構を光磁気ディスクドライブ装置を例にあげて説明する。
【００２２】
（１）外部構成
図１を用いて本実施の形態例のディスクカートリッジ排出機構が設けられた光磁気ディスクドライブ装置の外部構成を説明する。
【００２３】
図において、光磁気ディスクドライブ装置１のフロントベゼル（前面パネル）２には、ディスクカートリッジが挿入されるカートリッジ挿入口２ａが形成されている。
【００２４】
また、フロントベゼル２には、イジェクトスイッチ２ｂ及び取り出し金具６が挿入される穴２ｃが形成されている。
又、図１の分解斜視図である図２に示すように、本装置の筐体は、フロントベゼル２と、上ケース４ａ、下ケース４ｂとからなり、筐体内部には、ベース８と、回路基板６とが設けられている。そして、ベース９上には、カートリッジボックス２１が設けられている。
【００２５】
（２）ディスクカートリッジ
図３を用いて、本実施の形態例に用いられるディスクカートリッジ３の説明を行う。
【００２６】
図に示すように、光磁気ディスク（ＭＯ）１０は、ディスクカートリッジ３内に回転可能に収納されている。
ディスクカートリッジ３の一方の面には、光磁気ディスク１０の記録面を外部に露出させる穴３ａが、他方の面には、光磁気ディスク１０のハブ１０ａまで外部に露出させる穴３ａ′が形成されている。
【００２７】
ディスクカートリッジ３の一方の面の穴３ａ及び他方の面の穴３ａ′を隠蔽／開放するシャッタ７がディスクカートリッジ３に対して移動可能に設けられ、このシャッタ７は、一端部がディスクカートリッジ３に係止され、他端部がシャッタ７に係止されたスプリング（不図示）によって、穴３ａ、穴３ａ′を隠蔽する方向に付勢されている。
【００２８】
（３）内部構成
図４は、ディスクカートリッジ３が挿入されていない光磁気ディスクドライブ装置１から上ケース４ａ、下ケース４ｂ、フロントベゼル２、回路基板６、フレキシブルプリント回路等を取り外し、図１において矢印Ｂ方向から見た図である。図５は図４のアームとシャッターオープナのみを示した図、図６は図４においてベース９側からカートリッジボックスの内側を見たときの図である。
【００２９】
図４に示すように、ベース９の上面には、カートリッジボックス２１が設けられ、ディスクカートリッジ３は、ベース９の上面とカートリッジボックス２１との間の空間に挿入されるようになっている。又、カートリッジボックス２１には、光磁気ディスクに対して情報を記録又は消去する際に、光磁気ディスクに対して外部磁界を印加するためのバイアスマグネット２２が設けられている。
【００３０】
カートリッジボックス２１の上面には、第１ガイド溝２１ａが形成され、この第１ガイド溝２１ａには、ディスクカートリッジ３の挿入側の端面が当接するシャッターオープナ２３が移動可能に係合している。
【００３１】
又、図５，図６に示すように、ベース９と、カートリッジボックス２１との間には、アーム２０が配設され、このアーム２０の基端部側は、ピン１９を用いてカートリッジボックス２１の内面に回転可能に取り付けられている。そして、中間部がピン１９を巻回し、一方の端部がカートリッジボックス２１に係止され、他方の端部がアーム２０に係止されたスプリング１８の付勢力により、カートリッジ挿入口２ａ方向に付勢されている。アーム２０の先端部側には第１突起２０ａが形成されている。中間部が第１突起２０ａに巻回され、一方の端部がシャッターオープナ２３に、他方の端部がアーム２０に係止されたスプリング１７により、シャッターオープナ２３はカートリッジ挿入口２ａ方向に付勢されている。従って、スプリング１７、スプリング１８はディスクカートリッジ３を排出方向に付勢する付勢手段として機能している。
【００３２】
又、カートリッジボックス２１には、アーム２０の先端部に形成された第２突起２０ａが係合する第２ガイド溝２１ｂが形成されている。
そして、ディスクカートリッジ３が、ベース９の上面とカートリッジボックス２１との間の空間に挿入されると、シャッターオープナ２３は第１ガイド溝２１ａに沿って移動し、ディスクカートリッジ３のシャッタ７に連設された連設部７ａを押し、シャッタ７を開放する方向に移動させ、ディスクカートリッジ３の挿入が完了した状態では、図７に示すように、シャッタ７は全開状態となるように第１ガイド溝２１ａの形状が設定されている。
【００３３】
又、ベース９には、挿入されたディスクカートリッジ３の穴３ａに対向する開口９ｇが形成され、この開口９ｇにディスクカートリッジ３の光磁気ディスク１０の記録面に対してデータの書込／読み出しを行なう光ピックアップアクチュエータ１２が設けられている。
【００３４】
次に、図８〜図１２を用いてベース９の下面側の説明を行う。
ベース９の下面側には、以下の構成からなるディスクカートリッジ排出機構が設けられている。
【００３５】
図８に示すように、ベース９の下面の一方の側面には、ピン３１を用いてロックレバー３０が回転可能に設けられている。このロックレバー３０の第１の回転端部側には、ベース９の上面方向に折曲され、挿入されるディスクカートリッジ３の角部３ｂに当接可能なカートリッジ当接面３０ａが形成されている。
【００３６】
そして、このロックレバー３０は、一端部がロックレバー３０に係止され、他端部がベース９に係止されたスプリング３２により、そのカートリッジ当接面３０ａが挿入されるディスクカートリッジ３の角部３ｂに当接する方向に付勢されている。
【００３７】
ベース９には、スライドプレート３３が配設されている。このスライドプレート３３には、ディスクカートリッジ３の挿入方向に４つの長穴３３ａ，３３ｂ，３３ｆ，３３ｇが形成され、これらの長穴３３ａ，３３ｂ，３３ｆには、図８における切断線Ａ−Ａでの断面図である図９に示すようにベース９に形成された折り曲げ片９ａ，９ｂ，９ｇが係合し、又、長穴３３ｇには、ベース９に設けられたピン７２が係合し、スライドプレート３３は、ディスクカートリッジ３の挿入方向にのみ移動可能となっている。更に、スライドプレート３３は一端部がベース９に係止されたスプリング３６、スプリング３５の付勢力により、カートリッジ挿入口方向に付勢されている。
【００３８】
そして、ディスクカートリッジ非挿入状態では、図８に示すように、スプリング３６、スプリング３５の付勢力に抗して、スライドプレート３３の係止部３３ｃがロックレバー３０の切り起こし係止部３０ｂに係合した状態にある。
【００３９】
スライドプレート３３上には、モータプレート１４が配置されている。このモータプレート１４には、スピンドルモータ１１が取り付けられている。
スピンドルモータ１１は、ベース９に設けられた図示しない穴を介してベース９の上面側へ突出可能となっている。
【００４０】
図１０に示すように、モータプレート１４の側面には、４本のピン１５が設けられ、これらのピン１５は、スライドプレート３３に形成されたカム溝３３ｄに係合している。さらに、モータプレート１４の２つの穴１４ｂには、ベース９に立設された設けられたガイドバー４１が係合する穴１４ｂが形成され、ベース９に対して略垂直方向にのみ移動可能となっている。
【００４１】
従って、ディスクカートリッジ非挿入状態を示す図８において、ロックレバー３０の切り起こし係止部３０ｂとスライドプレート３３の係止部３３ｃとの係止を解除すると、スプリング３６、スプリング３５の付勢力により、スライドプレート３３が矢印Ｉ方向に移動し、図１２に示すような状態となる。すると、モータプレート１４はカム溝３３ｄにより、ベース９に対して接近する方向に移動し、モータプレート１４に設けられたスピンドルモータ１１がベース９の穴９ｂを介してベース９の上面から突出する移動を行なうこととなる。
【００４２】
そして、モータプレート１４がベース９に対して接近し、ベース９に配設された３本のストッパピン（図示せず）に当接することによりその移動は停止する。この時、スピンドルモータ１１がベース９の上面から突出し、ディスクカートリッジ３内の光磁気ディスク１０のハブ１０ａに係合する。さらに、図１０に示すように、モータプレート１４に設けられている位置決めピン１６がディスクカートリッジ３の位置決め穴３ｃ（図２参照）に係合することにより、ディスクカートリッジ３の移動が禁止される。すなわち、位置決めピン１６はローディング位置でのディスクカートリッジ３の移動を禁止するロック手段として機能している。
【００４３】
その状態から、モータプレート１４がベース９から離反すると、スピンドルモータ１１がベース９の上面より下降し、ディスクカートリッジ３内の光磁気ディスク１０のハブ１０ａとの係合が解除され、さらに、モータプレート１４に設けられている位置決めピン１６がディスクカートリッジ３の位置決め穴３ｃから離脱することにより、ディスクカートリッジ３の移動が許可される。
【００４４】
図８、図１０に示すように、スライドプレート３３に隣接して、イジェクトモータ５０が設けられている。このイジェクトモータ５０の出力軸には、円板５１が取り付けられ、この円板５１にはイジェクトモータ５０の出力軸に対して偏心した位置に設けられた偏心ピン５３が設けられている。一方、スライドプレート３３には、偏心ピン５３が当接可能な折り曲げ当接部３３ｅが形成されている。そして、スライドプレート３３の係止部３３ｃとロックレバー３０の切り起こし係止部３０ｂとの係止が解除された状態では、イジェクトモータ５０を駆動することにより、偏心ピン５３がスプリング３６、スプリング３５の付勢力に抗してスライドプレート３３の折り曲げ当接部３３ｅを押し、スライドプレート３３が矢印Ｉ方向と反対方向に移動し、スライドプレート３３の係止部３３ｃがロックレバー３０の切り起こし係止部３０ｂに係止する。
【００４５】
図８に示すように、ベース９の他方の側面には、カートリッジ係止手段としてのカートリッジストッパ６１が配設されている。このカートリッジストッパ６１は、図１１に示すように、ベース９の側面に形成されたガイド穴９ｄに係合し、ディスクカートリッジ３の挿入方向に移動可能となっている。カートリッジストッパ６１には、挿入されるディスクカートリッジ３の前面に当接可能なアーム部６１ａを有している。更に、カートリッジストッパ６１には、ディスクカートリッジ３の側面方向に可撓可能な弾性アーム部６１ｂが形成され、この弾性アーム部６１ｂの先端には、ディスクカートリッジ３の凹部としての係止溝３ｄ（図２参照）に係合可能な凸部６１ｃが形成されている。
【００４６】
一方、ベース９には、プレート７１とロックアーム８１からなるカートリッジ係止補助手段７０が設けられている。プレート７１には、カートリッジ挿入方向に延びる第１ガイド穴７１ａ、第２ガイド穴７１ｂが形成されている。そして、第１ガイド穴７１ａには、ベース９に取り付けられるピン７２が挿通し、第２ガイド穴７１ｂには、ベース９の折り曲げ片９ｅが係合することにより、プレート７１はディスクカートリッジ３の挿入方向にのみ移動可能となっている。プレート７１には、イジェクトモータ５０によって駆動される偏心ピン５３が当接可能な当接部７１ｃが形成されている。そして、一方の端部がベース９の切り起こし係止部９ｆに係止されたスプリング７４の他方の端部がプレート７１の係止部７１ｄに係止されることにより、プレート７１はその当接部７１ｃが偏心ピン５３に当接する方向に付勢されている。
【００４７】
プレート７１上には、ピン７３を用いてロックアーム８１が回転可能に取り付けられている。このロックアーム８１の一方の側部にはベース９方向に折り曲げられた折り曲げ部８１ｂが形成されている。この折り曲げ部８１ｂは、カートリッジストッパ６１の弾性アーム部６１ｂの凸部６１ｃが設けられた面と反対側の面と当接可能となっている。更に、一方の端部がプレート７１の切り起こし部７１ｅに係止されたスプリング８３の他方の端部がロックアーム８１の切り起こし係止部８１ａに係止されることで、ロックアーム８１は、折り曲げ部８１ｂがカートリッジストッパ６１の弾性アーム部６１ｂに当接する方向に付勢されている。
【００４８】
（３）作動
（ディスクカートリッジ挿入）
最初に、ディスクカートリッジ３が挿入されていない状態を示す図１、図４、図８を用いて、ディスクカートリッジ３を挿入する際の作動を説明する。
【００４９】
ディスクカートリッジ３をベース９の上面とカートリッジボックス２１との間の空間に挿入すると、ディスクカートリッジ３に押されて、シャッターオープナ２３は第１ガイド溝２１ａに沿って移動し、ディスクカートリッジ３のシャッタ７を開く。又、このシャッターオープナ２３の移動により、アーム２０も第２ガイド溝２１ｂに沿って移動する。
【００５０】
又、ディスクカートリッジ３を挿入することにより、ディスクカートリッジ３の前面がカートリッジストッパ６１のアーム部６１ａに当接すると同時に、カートリッジストッパ６１の弾性アーム部６１ｂの凸部６１ｃがディスクカートリッジ３の係止溝３ｄに係合する。本実施の形態例では、弾性アーム部６１ｂの係止力（第２の保持力）を５００ｇｆ以下とした。更に、ディスクカートリッジ３を挿入すると、カートリッジストッパ６１もスプリング６３の付勢力に抗してディスクカートリッジ３と共に移動する。
【００５１】
尚、本明細書でいう「係止力」とは、ディスクカートリッジ３を引っ張ることにより、弾性アーム部６１ｂの弾性力に抗して弾性アーム部６１ｂの凸部６１ｃがディスクカートリッジ３の係止溝３ｄから離反することにより、ディスクカートリッジ３の係止溝３ｄとの係合を解除するに必要な力である。
【００５２】
そして、ディスクカートリッジ３の角部３ｂがロックレバー３０のカートリッジ当接面３０ａを押すと、ロックレバー３０がピン３１を中心に回転し、ロックレバー３０の切り起こし係止部３０ｂとスライドプレート３３の係止部３３ｃとの係止が解除される。そして、スライドプレート３３はスプリング３６、スプリング３５の付勢力により、図８において矢印Ｉ方向に移動し、図１２に示すような状態となる。
【００５３】
この時、モータプレート１４はスライドプレート３３のカム溝３３ｄにより、ベース９に対して接近する方向に移動し、モータプレート１４に設けられたスピンドルモータ１１がベース９の穴９ｂを介してベース９の上面から突出する移動を行なうこととなる。
【００５４】
そして、モータプレート１４がベース９に対して接近し、ベース９に設けられた３本のストッパピン（図示せず）に当接すると、スピンドルモータ１１がベース９の上面から突出し、ディスクカートリッジ３内の光磁気ディスク１０のハブ１０ａに係合する。さらに、図１０に示すように、モータプレート１４に設けられている位置決めピン１６がディスクカートリッジ３の位置決め穴３ｃ（図２参照）に係合することにより、ディスクカートリッジ３の移動が禁止される。
【００５５】
そして、光ピックアップアクチュエータ１２により、データの書き込み／読み出しが可能な状態、すなわち、図１２に示す状態、ローディング状態となる。
（ディスクカートリッジ排出）
イジェクトスイッチ２ｂを押すと、イジェクトモータ５０が回転し、最初に、偏心ピン５３はスプリング３６、スプリング３５の付勢力に抗してスライドプレート３３の折り曲げ当接部３３ｅを押し、スライドプレート３３が矢印Ｉ方向と反対方向に移動し、スライドプレート３３の係止部３３ｃがロックレバー３０の切り起こし係止部３０ｂに再び係止する。
【００５６】
このスライドプレート３３の移動により、モータプレート１４はベース９から離れる方向に移動し、モータプレート１４に設けられたスピンドルモータ１１と、ディスクカートリッジ３内の光磁気ディスク１０のハブ１０ａとの係合が解除される。さらに、モータプレート１４に設けられている位置決めピン１６と、ディスクカートリッジ３の位置決め穴３ｃとの係合も解除され、ディスクカートリッジ３は移動可能となる。
【００５７】
ディスクカートリッジ３が移動可能となると、シャッターオープナ２３を付勢するスプリング１７、アーム２０を付勢するスプリング１８、及びカートリッジストッパ６１を付勢するスプリング６３の弾性反発力により、ディスクカートリッジ３は排出方向に移動する。この時、カートリッジストッパ６１もディスクカートリッジ３と共に移動する。
【００５８】
そして、カートリッジストッパ６１がガイド穴９ｄの終端に当接すると、図１３に示すようにディスクカートリッジ３の移動が停止する。このディスクカートリッジ３の位置がカートリッジ取り出し可能位置である。この時、ディスクカートリッジ３の後部がカートリッジ挿入口２ａより外部に突出し、装置外部からディスクカートリッジ３を取り出し可能な状態となる。
【００５９】
ロックアーム８１が設けられたプレート７１は、スプリング７４により矢印Ｉ方向と反対方向に付勢されており、常に当接部７１Ｃがイジェクトモータ５０の偏心ピン５３に当接することにより、プレート７１の矢印Ｉ方向の位置は決定されることとなる。従って、プレート７１は、イジェクトモータ５０の偏心ピン５３の回動と常に連動して、矢印Ｉ方向又は矢印Ｉ方向と反対方向に移動することとなる。
【００６０】
又、この時点では、カートリッジ係止補助手段７０のスプリング８３により付勢されたロックアーム８１がカートリッジストッパ６１の弾性アーム部６１ｂの凸部６１ｃが設けられた面と反対側の面と当接可能となっている。尚、本実施の形態例では、スプリング８３で付勢されたロックアーム８１と、カートリッジストッパ６１の弾性アーム部６１ｂとを合わせた係止力（第１の保持力）は８００ｇｆ以上とした。
【００６１】
そして、イジェクトモータ５０が更に回転し、今度は、偏心ピン５３はプレート７１の当接部７１ｃを矢印Ｉ方向に押す。これにより、プレート７１はスプリング７４の付勢力に抗して移動し、ロックアーム８１のカートリッジストッパ６１の弾性アーム部６１ｂの凸部６１ｃが設けられた面と反対側の面と当接可能な状態が解除される。
【００６２】
上記構成によれば、以下のような効果を得ることができる。
（１）ディスクカートリッジ３が図１２に示すローディング位置から図１３に示すディスクカートリッジ取り出し可能位置へ移動した時点で、カートリッジ係止手段としてのカートリッジストッパ６１のディスクカートリッジ３への係止の解除を防止するカートリッジ係止補助手段７０と、ディスクカートリッジ３がローディング位置からディスクカートリッジ取り出し可能位置へ移動した後に、カートリッジ係止補助手段７０のカートリッジストッパ６１への係止を解除する解除手段である偏心ピン５３とを有することにより、ディスクカートリッジ３がローディング位置からディスクカートリッジ取り出し可能位置へ移動した時点で、カートリッジストッパ６１がディスクカートリッジ３に係止すると共に、カートリッジ係止補助手段７０がカートリッジストッパ６１のディスクカートリッジ３への係止の解除を防止する。すなわち、前述した第１の保持力（８００ｇｆ以上）で保持する。従って、必ずディスクカートリッジ３がディスクカートリッジ取り出し可能位置で停止する。
【００６３】
又、ディスクカートリッジ３がローディング位置からディスクカートリッジ取り出し可能位置へ移動した後に、偏心ピン５３がカートリッジ係止補助手段７０のカートリッジストッパ６１への係止を解除することにより、すなわち、第２の保持力（５００ｇｆ以下）で保持することにより、カートリッジ取り出し可能位置でのディスクカートリッジの係止は、カートリッジストッパ６１のみとなり、ディスクカートリッジ３の取出しが容易となる。
（２）ディスクカートリッジ３の排出速度が速くなり、ディスクカートリッジ３の係止溝３ｄに係合する凸部６１ｃを有するカートリッジストッパ６１の弾性アーム部６１ｂがディスクカートリッジ３の係止溝３ｄより離反しようとしても、カートリッジ係止補助手段７０の弾性アーム部６１ｂの凸部６１ｃが設けられた面と反対側の面が当接可能なロックアーム８１に当接し、カートリッジストッパ６１の弾性アーム部６１ｂの凸部６１ｃがディスクカートリッジ３の係合溝３ｄから離反するのを禁止する。
【００６４】
よって、従って、必ずディスクカートリッジ３がディスクカートリッジ取り出し可能位置で停止する。
（３）何らかの原因で大きな力がカートリッジストッパ６１の弾性アーム部６１ｂに作用し、弾性アーム部６１ｂがディスクカートリッジ３の係止溝３ｄより離反しようとした際に、カートリッジ係止補助手段７０は、ロックアーム８１が回転可能に設けられたプレート７１と、ロックアーム８１をカートリッジストッパ６１の弾性アーム部６１ｂ方向に付勢するロックアーム付勢手段であるスプリング８３とを有することにより、スプリング８３の付勢力以上の力で弾性アーム部６１ｂがディスクカートリッジ３より離反しようとした際には、ロックアーム８１も弾性アーム部６１ｂに押されて回転し、弾性アーム部６１ｂ、ロックアーム８１の破損を防止する。
（４）イジェクトモータ５０を駆動することにより、最初に、ロック解除手段としてのスライドプレート３３を駆動し、ディスクカートリッジ３をローディング位置からディスクカートリッジ取り出し可能位置へ移動させ、ディスクカートリッジ３がディスクカートリッジ取り出し可能位置へ到達した後に、カートリッジ係止補助手段７０のロックアーム８１とカートリッジストッパ６１の弾性アーム部６１ｂとの当接がない位置へカートリッジ係止補助手段７０のプレート７１を移動させるようにしたことにより、必ずディスクカートリッジ３がディスクカートリッジ取り出し可能位置で停止する。
【００６５】
本発明は、上記実施の形態例に限定するものではない。上記実施の形態例では、ディスクカートリッジ３の係止溝３ｄに係合するカートリッジストッパ６１は移動可能としたが、ベース９に固定であっても良い。
【００６６】
【発明の効果】
以上述べたように請求項１又は請求項６記載の発明によれば、少なくとも前記ディスクカートリッジが前記ローディング位置から前記ディスクカートリッジ取り出し可能位置へ移動した時点で、前記ディスクカートリッジに係止して、前記ディスクカートリッジが前記ディスクカートリッジ取り出し可能位置より更に取り出し方向に移動するのを禁止するカートリッジ係止手段と、前記ディスクカートリッジが前記ローディング位置から前記ディスクカートリッジ取り出し可能位置へ移動した時点で、前記カートリッジ係止手段の前記ディスクカートリッジへの係止の解除を防止するカートリッジ係止補助手段と、前記ディスクカートリッジが前記ローディング位置から前記ディスクカートリッジ取り出し可能位置へ移動した後に、前記カートリッジ係止補助手段が前記カートリッジ係止手段の前記ディスクカートリッジへの係止の解除を防止している状態を解除する補助解除手段とを有することにより、前記ディスクカートリッジが前記ローディング位置から前記ディスクカートリッジ取り出し可能位置へ移動した時点で、カートリッジ係止手段が前記ディスクカートリッジに係止して、前記ディスクカートリッジが前記ディスクカートリッジ取り出し可能位置より更に取り出し方向に移動するのを禁止する。従って、必ずディスクカートリッジがディスクカートリッジ取り出し可能位置で停止する。
【００６７】
又、前記ディスクカートリッジが前記ローディング位置から前記ディスクカートリッジ取り出し可能位置へ移動した後に、補助解除手段が、前記カートリッジ係止補助手段が前記カートリッジ係止手段の前記ディスクカートリッジへの係止の解除を防止している状態を解除することにより、カートリッジ取り出し可能位置でのディスクカートリッジの係止は、ディスクカートリッジ係止手段のみとなり、ディスクカートリッジの取出しが容易となる。
【００６８】
請求項２記載の発明によれば、ディスクカートリッジの排出速度が速くなり、ディスクカートリッジの凹部に係合する凸部を有するカートリッジ係止手段の弾性アームが前記ディスクカートリッジの凹部より離反しようとしても、カートリッジ係止補助手段の前記カートリッジ係止手段の弾性アームの凸部が設けられた面と反対側の面が当接可能なロックアームに当接し、前記カートリッジ係止手段の弾性アームの凸部が前記ディスクカートリッジの凹部から離反するのを禁止する。よって、従って、必ずディスクカートリッジがディスクカートリッジ取り出し可能位置で停止する。
【００６９】
請求項３記載の発明によれば、何らかの原因で大きな力がカートリッジ係止手段の弾性アームに作用し、弾性アームが前記ディスクカートリッジの凹部より離反しようとした際に、前記カートリッジ係止補助手段は、前記ロックアームが回転可能に設けられたプレートと、前記ロックアームを前記弾性アーム方向に付勢するロックアーム付勢手段とを有することにより、付勢手段の付勢力以上の力で前記弾性アームが離反しようとした際には、ロックアームも弾性アームに押されて回転し、弾性アーム、ロックアームの破損を防止する。
【００７０】
請求項４記載の発明によれば、前記カートリッジ係止補助手段のプレートは、カートリッジ排出方向に移動可能に設けられ、前記ロックアームに前記弾性アームが当接可能な位置と、前記ロックアームと前記弾性アームとの当接がない位置との間で前記プレートを案内するプレート案内手段とを有し、前記ロック解除手段は、イジェクトモータと、該イジェクトモータにより回転駆動され、前記ロック手段と、前記カートリッジ係止補助手段とを解除する偏心ピンとを有し、前記イジェクトモータを駆動すると、前記偏心ピンは、最初に、前記ロック手段を解除して、前記付勢手段の付勢力により前記ディスクカートリッジを前記ローディング位置から前記ディスクカートリッジ取り出し可能位置へ向かって移動させ、前記ディスクカートリッジが前記ディスクカートリッジ取り出し可能位置へ到達した後に、前記ロックアームと前記弾性アームとの当接がない位置へ前記カートリッジ係止補助手段の前記プレートを移動させるようにしたことにより、必ずディスクカートリッジがディスクカートリッジ取り出し可能位置で停止する。
【００７１】
請求項５記載の発明によれば、ディスクカートリッジ内のメディアに対して情報の記録／再生が可能なローディング位置から、前記ディスクカートリッジを情報記録再生装置から取り出し可能なディスクカートリッジ取り出し可能位置へ移動させるディスクカートリッジ排出方法において、少なくとも前記ディスクカートリッジが前記ローディング位置から前記ディスクカートリッジ取り出し可能位置へ移動した時点では、前記ディスクカートリッジがそれ以上移動しない第１の保持力で保持し、その後、前記第１の保持力よりも小さな第２の保持力で保持することにより、前記ディスクカートリッジが前記ローディング位置から前記ディスクカートリッジ取り出し可能位置へ移動した時点で、カートリッジ係止手段がディスクカートリッジに係止すると共に、カートリッジ係止補助手段が前記カートリッジ係止手段の前記ディスクカートリッジへの係止の解除を防止する。従って、必ずディスクカートリッジがディスクカートリッジ取り出し可能位置で停止する。
【００７２】
又、前記ディスクカートリッジが前記ローディング位置から前記ディスクカートリッジ取り出し可能位置へ移動した後に、解除手段が前記カートリッジ係止補助手段の前記カートリッジ係止手段への係止を解除することにより、カートリッジ取り出し可能位置でのディスクカートリッジの係止は、ディスクカートリッジ係止手段のみとなり、ディスクカートリッジの取出しが容易となる。
【図面の簡単な説明】
【図１】本実施の形態例のディスクカートリッジ排出機構が設けられた光磁気ディスクドライブ装置の外部構成を説明する図である。
【図２】本実施の形態例の光ディスクドライブ装置に用いられるディスクカートリッジを説明する図である。
【図３】図１の分解斜視図である。
【図４】ディスクカートリッジが挿入されていない光磁気ディスクドライブ装置から上ケース、下ケース、フロントベゼル、回路基板、フレキシブルプリント回路等を取り外し、図１において矢印Ｂ方向から見た図である。
【図５】図４のアームとシャッターオープナのみを示した図である。
【図６】図６は図４においてベース側からカートリッジボックスの内側を見たときの図である。
【図７】図４でディスクカートリッジを挿入した状態を示す図である。
【図８】ディスクカートリッジが挿入されていない図１の光磁気ディスクドライブ装置から外装部、フロントベゼル、電気制御部、フレキシブルプリント回路等を取り外し、図１において矢印Ｃ方向から見た図である。
【図９】図８における切断線Ａ−Ａでの断面図である。
【図１０】図８のロックレバー、スライドプレート、モータプレートイジェクトモータの斜視図である。
【図１１】図８のカートリッジ係止手段、カートリッジストッパの斜視図である。
【図１２】図８においてカートリッジがローディング位置にある状態を示す図である。
【図１３】図８においてカートリッジが取り出し可能位置にある状態を示す図である。
【符号の説明】
３　ディスクカートリッジ
６１　カートリッジストッパ（カートリッジ係止手段）
７０　カートリッジ係止補助手段
【図１】
2004079003.tif 000003
【図２】
2004079003.tif 000004
【図３】
2004079003.tif 000005
【図４】
2004079003.tif 000006
【図５】
2004079003.tif 000007
【図６】
2004079003.tif 000008
【図７】
2004079003.tif 000009
【図８】
2004079003.tif 000010
【図９】
2004079003.tif 000011
【図１０】
2004079003.tif 000012
【図１１】
2004079003.tif 000013
【図１２】
2004079003.tif 000014
【図１３】
2004079003.tif 000015